(57)【要約】  【課題】  合焦位置の調整がなされたカメラシステムであるかが容易に判断できるカメラシステムを提供すること。  【解決手段】  カメラと該カメラに装着されるアクセサリ(１００)とを含むカメラシステムであって、前記カメラに装着された前記アクセサリに応じた制御を行う制御手段(２２３)と、該制御手段が、前記制御を行うときに用いる情報を、前記アクセサリと関連付けて記憶する記憶手段とを有し、前記制御手段は、前記カメラに装着された前記アクセサリを識別して、該識別したアクセサリに応じた前記情報が前記記憶手段(２１８)に記憶されているか否かの判別を行い、該判別結果に応じた信号を出力することを特徴とするカメラシステム。【選択図】  図６
2005181356.tif 000002
【特許請求の範囲】
【請求項１】
カメラと該カメラに装着されるアクセサリとを含むカメラシステムであって、
前記カメラに装着された前記アクセサリに応じた制御を行う制御手段と、
該制御手段が、前記制御を行うときに用いる情報を、前記アクセサリと関連付けて記憶する記憶手段とを有し、
前記制御手段は、前記カメラに装着された前記アクセサリを識別して、該識別したアクセサリに応じた前記情報が前記記憶手段に記憶されているか否かの判別を行い、該判別結果に応じた信号を出力することを特徴とするカメラシステム。
【請求項２】
前記情報は、前記制御のための演算結果を、前記アクセサリに応じて補正するための補正情報であることを特徴とする請求項１に記載のカメラシステム。
【請求項３】
前記制御手段は、前記カメラに前記アクセサリが装着された状態で前記補正情報を求めるための動作を行い、該求めた補正情報を該カメラアクセサリに関連付けて前記記憶手段に記憶させることを特徴とする請求項２に記載のカメラシステム。
【請求項４】
前記信号に基づく表示を行う表示手段を有することを特徴とする請求項１から３のいずれか１つに記載のカメラシステム。
【請求項５】
カメラと該カメラに装着されるアクセサリとを含むカメラシステムであって、
前記カメラに装着された前記アクセサリに応じた制御を行う制御手段と、
該制御手段が、前記制御を行うときに用いる情報を、前記アクセサリと関連付けて記憶する記憶手段とを有し、
前記制御手段は、前記カメラに装着された前記アクセサリを識別して、該識別したアクセサリに応じた前記情報が前記記憶手段に記憶されているか否かの判別を行い、該アクセサリを用いての前記カメラによる撮影画像データと前記判別結果とを関連付けて記録媒体に記録することを特徴とするカメラシステム。
【請求項６】
前記情報は、前記制御のための演算結果を、前記アクセサリに応じて補正するための補正情報であることを特徴とする請求項５に記載のカメラシステム。
【請求項７】
前記制御手段は、前記カメラに前記アクセサリが装着された状態で前記補正情報を求めるための動作を行い、該求めた補正情報を該カメラアクセサリに関連付けて前記記憶手段に記憶させることを特徴とする請求項６に記載のカメラシステム。
【請求項８】
カメラと該カメラに装着される撮影レンズとを含むカメラシステムであって、
前記カメラに装着された前記撮影レンズに応じた焦点調節制御を行う制御手段と、
該制御手段が、前記焦点調節制御を行うときに、該焦点調節制御における演算結果を補正するための補正情報を、前記撮影レンズと関連付けて記憶する記憶手段とを有し、
前記制御手段は、前記カメラに装着された前記撮影レンズを識別して、該識別した撮影レンズに応じた前記補正情報が前記記憶手段に記憶されているか否かの判別を行い、該判別結果に応じた信号を出力することを特徴とするカメラシステム。
【請求項９】
前記制御手段は、前記カメラに前記撮影レンズが装着された状態で前記補正情報を求めるための動作を行い、該求めた補正情報を該撮影レンズに関連付けて前記記憶手段に記憶させることを特徴とする請求項８に記載のカメラシステム。
【請求項１０】
前記信号に応じた表示を行う表示手段を有することを特徴とする請求項８又は９に記載のカメラシステム。
【請求項１１】
前記制御手段は、前記信号により前記表示手段での表示形態を変更することを特徴とする請求項１０に記載のカメラシステム。
【請求項１２】
前記制御手段は、前記補正情報が前記記憶手段に記憶されていると判別したときは、該補正情報を前記表示手段に表示させる信号を出力することを特徴とする請求項１０又は１１に記載のカメラシステム。
【請求項１３】
前記カメラに対する前記撮影レンズの装着を検出する検出手段を有し、
前記制御手段は、前記検出手段により前記撮影レンズの装着が検出されたときに前記判別を行うことを特徴とする請求項８から１２のいずれか１つに記載のカメラシステム。
【請求項１４】
使用者による操作に応じて、前記制御手段に前記判別を行わせる操作手段を有することを特徴とする請求項８から１３のいずれか１つに記載のカメラシステム。
【請求項１５】
前記制御手段は、前記補正情報が前記記憶手段に記憶されていないと判別したときは、前記表示手段に警告表示を行わせる信号を出力することを特徴とする請求項１０に記載のカメラシステム。
【請求項１６】
前記カメラにおいて焦点検出領域の選択が可能であり、
前記表示手段は、選択された焦点検出領域をファインダー表示部に表示するとともに、前記信号に応じて該選択された焦点検出領域の表示形態を変更することを特徴とする請求項１１に記載のカメラシステム。
【請求項１７】
マニュアルフォーカスとオートフォーカスとを選択する選択手段を有し、
前記制御手段は、前記オートフォーカスが選択されたときにのみ前記判別を行うことを特徴とする請求項８から１６のいずれか１つに記載のカメラシステム。
【請求項１８】
前記制御手段は、前記補正情報が前記記憶手段に記憶されていないと判別したときは、前記カメラの撮影動作を制限することを特徴とする請求項８から１７のいずれか１つに記載のカメラシステム。
【請求項１９】
カメラと該カメラに装着される撮影レンズとを含むカメラシステムであって、
前記カメラに装着された前記撮影レンズに応じた焦点調節制御を行う制御手段と、
該制御手段が、前記焦点調節制御を行うときに、該焦点調節制御における演算結果を補正するための補正情報を、前記撮影レンズと関連付けて記憶する記憶手段とを有し、
前記制御手段は、前記カメラに装着された前記撮影レンズを識別して、該識別した撮影レンズに応じた前記補正情報が前記記憶手段に記憶されているか否かの判別を行い、該撮影レンズを用いての前記カメラによる撮影画像データと前記判別結果とを関連付けて記録媒体に記録することを特徴とするカメラシステム。
【請求項２０】
前記制御手段は、前記カメラに前記撮影レンズが装着された状態で前記補正情報を求めるための動作を行い、該求めた補正情報を該撮影レンズに関連付けて前記記憶手段に記憶させることを特徴とする請求項１９に記載のカメラシステム。
【請求項２１】
前記制御手段は、前記補正情報が前記記憶手段に記憶されていると判別したときにのみ、前記撮影画像データと前記判別結果とを関連付けて前記記録媒体に記録することを特徴とする請求項１９又は２０に記載のカメラシステム。
【請求項２２】
前記カメラにおいて焦点検出領域の選択が可能であり、
前記記憶手段は、前記焦点検出領域ごとに前記補正情報の記憶が可能であり、
前記制御手段は、前記選択された焦点検出領域に対する前記補正情報が前記記憶手段に記憶されていると判別したときは、該選択された焦点検出領域を示すデータを前記記録媒体に記録することを特徴とする請求項１９から２１のいずれか１つに記載のカメラシステム。
【請求項２３】
前記記録手段に記録された撮影画像データを再生表示する再生手段を有し、
前記制御手段は、前記再生された撮影画像データとともに前記判別結果を表示することを特徴とする請求項１９から２２のいずれか１つに記載のカメラシステム。
【請求項２４】
請求項１から７のいずれか１つに記載のカメラシステムに用いられるカメラであって、
前記制御手段を有することを特徴とするカメラ。
【請求項２５】
請求項１から７のいずれか１つに記載のカメラシステムに用いられるカメラであって、
前記制御手段と、
前記記憶手段とを有することを特徴とするカメラ。
【請求項２６】
請求項１から７のいずれか１つに記載のカメラシステムに用いられるアクセサリであって、
前記記憶手段を有することを特徴とするアクセサリ。
【請求項２７】
請求項８から２３のいずれか１つに記載のカメラシステムに用いられるカメラであって、
前記制御手段を有することを特徴とするカメラ。
【請求項２８】
請求項８から２３のいずれか１つに記載のカメラシステムに用いられるカメラであって、
前記制御手段と、
前記記憶手段とを有することを特徴とするカメラ。
【請求項２９】
請求項８から２３のいずれか１つに記載のカメラシステムに用いられる撮影レンズであって、
前記記憶手段を有することを特徴とする撮影レンズ。
【発明の詳細な説明】
【技術分野】
【０００１】
本発明は、撮像に関するパラメータを自動的に調整する機能を有する固体撮像素子を備え、特に表示状態についてのカメラシステム、カメラシステムに用いられるカメラ、カメラシステムに用いられるアクセサリ及びカメラシステムに用いられる撮影レンズに関する。
【背景技術】
【０００２】
従来、レンズ交換が可能な一眼レフレックス方式のカメラシステムでは、一般的にＴＴＬ位相差方式の焦点検出方法が使用されている。しかしながら、この位相差方式で検出される合焦位置を実際の合焦面に完全に一致させることは困難である。
【０００３】
これは、位相差方式のセンサモジュールをカメラ本体に取り付ける際に発生する誤差や、センサモジュールを構成する光学系の寸法誤差などカメラ本体側の誤差と、カメラ本体とは別に製造された撮影レンズの製造誤差などの要因によるものである。
【０００４】
また、製造誤差を補正する方法として、位相差方式の第１の焦点検出手段と、撮像素子の画像信号からコントラストを評価してオートフォーカスを行う第２の焦点検出手段を有し、第１・第２の検出手段によるオートフォーカスデータから相対ズレ量を算出し、第１の焦点検出手段のオートフォーカスデータに補正を加えることで、カメラ本体側の誤差を補正する方法が以下の特許文献１にて開示されている。
【０００５】
また、一眼レフレックスカメラシステムの場合、数種類の撮影レンズが装着可能である。当然のことながら撮影レンズ毎に製造誤差量が異なってしまうため、撮影レンズに合焦位置がズレてしまうという問題が発生してしまう。
【０００６】
この問題を解決する方法として、撮影レンズ毎にピント補正を行う方法が本出願により提案されている。すなわち、製造時に調整されたＡＦの合焦位置から前後に合焦位置を微少量ずらして撮影を行い、ユーザーが狙った合焦位置に最も合致している撮影画像を選択して、その相対ズレ量をＡＦ補正値として、合焦位置を補正する方法である。
【特許文献１】特開２０００−２９２６８４号公報(第１図)
【発明の開示】
【発明が解決しようとする課題】
【０００７】
しかしながら、上記従来例のカメラシステムには、下記のような問題があった。特許文献１に開示されたカメラシステムの場合、ある１種類の撮影レンズとカメラ本体との組み合わせにおいては、製造誤差による合焦位置のズレに対する補正は可能である。しかしながら、一眼レフレックスカメラの場合複数の撮影レンズが装着可能であり、撮影レンズが交換された場合においては補正されないので、合焦位置のズレ（ピントズレ）という問題が発生してしまう。この対策について特許文献１には記載されていない。
【０００８】
また、本出願人より提案されている手法においては、上記問題を解決することが可能である。しかしながら、カメラ本体や撮影レンズを複数所有しているユーザーの場合、撮影時に使用しているカメラ本体と撮影レンズの組み合わせにおいて、合焦面のズレ量が補正されているか否かが分からず撮影を行ってしまい、結果的にピントが合っていないという問題が発生してしまう。
【０００９】
また、撮影後において、仮にピントが合っていない事が確認された場合には、カメラシステムの合焦位置の調整が必要なのか、故障しているのかがユーザーには判断できないという問題が発生してしまう。
【００１０】
本発明はかかる事情に鑑みてなされたものであり、ユーザーが撮影時や撮影後画像を確認するときにおいて、合焦位置の調整がなされたカメラシステムであるかが容易に判断できるカメラシステムを提供することを目的とする。
【課題を解決するための手段】
【００１１】
上記課題を解決するために本願発明のカメラシステムの第１の構成は、カメラと該カメラに装着されるアクセサリ(例えば、撮影レンズ、ストロボ)とを含むカメラシステムであって、カメラに装着されたアクセサリに応じた制御を行う制御手段と、該制御手段が、制御を行うときに用いる情報を、アクセサリと関連付けて記憶する記憶手段とを有し、制御手段は、カメラに装着されたアクセサリを識別して、該識別したアクセサリに応じた情報が記憶手段に記憶されているか否かの判別を行い、該判別結果に応じた信号(例えば、画像信号、音声信号、振動)を出力することを特徴とする。
【００１２】
ここで、情報を、制御のための演算結果を、アクセサリに応じて補正するための補正情報とすることができる。
【００１３】
また、制御手段に、カメラにアクセサリが装着された状態で補正情報を求めるための動作を行わせ、該求めた補正情報を該カメラアクセサリに関連付けて記憶手段に記憶させるようにするのが好ましい。
【００１４】
信号に基づく表示を行う表示手段を備え付けることができる。
【００１５】
本願発明のカメラシステムの第２の構成は、カメラと該カメラに装着されるアクセサリとを含むカメラシステムであって、カメラに装着されたアクセサリに応じた制御を行う制御手段と、該制御手段が、制御を行うときに用いる情報を、アクセサリと関連付けて記憶する記憶手段とを有し、制御手段は、カメラに装着されたアクセサリを識別して、該識別したアクセサリに応じた情報が記憶手段に記憶されているか否かの判別を行い、該アクセサリを用いてのカメラによる撮影画像データと判別結果とを関連付けて記録媒体に記録することを特徴とする。
【００１６】
ここで、情報を、制御のための演算結果を、アクセサリに応じて補正するための補正情報とすることができる。
【００１７】
制御手段に、カメラにアクセサリが装着された状態で補正情報を求めるための動作を行わせ、該求めた補正情報を該カメラアクセサリに関連付けて記憶手段に記憶させるようにするのが好ましい。
【００１８】
本願発明のカメラシステムの第３の構成は、カメラと該カメラに装着される撮影レンズとを含むカメラシステムであって、カメラに装着された撮影レンズに応じた焦点調節制御を行う制御手段と、該制御手段が、焦点調節制御を行うときに、該焦点調節制御における演算結果を補正するための補正情報を、撮影レンズと関連付けて記憶する記憶手段とを有し、制御手段は、カメラに装着された撮影レンズを識別して、該識別した撮影レンズに応じた補正情報が記憶手段に記憶されているか否かの判別を行い、該判別結果に応じた信号を出力することを特徴とする。
【００１９】
ここで、制御手段に、カメラに撮影レンズが装着された状態で補正情報を求めるための動作を行わせ、該求めた補正情報を該撮影レンズに関連付けて記憶手段に記憶させるようにするのが好ましい。
【００２０】
信号に応じた表示を行う表示手段を備え付けることができる。
【００２１】
制御手段に、信号により表示手段での表示形態を変更させるようにするとよい。
【００２２】
制御手段に、補正情報が記憶手段に記憶されていると判別したときは、該補正情報を表示手段に表示させる信号を出力させるようにするのが好ましい。
【００２３】
カメラに対する撮影レンズの装着を検出する検出手段を設け、制御手段に、検出手段により撮影レンズの装着が検出されたときに判別を行うようにさせるとよい。
【００２４】
使用者による操作に応じて、制御手段に判別を行わせる操作手段を備え付けることができる。
【００２５】
制御手段に、補正情報が記憶手段に記憶されていないと判別したときは、表示手段に警告表示を行わせる信号を出力するようにさせるとよい。
【００２６】
カメラにおいて焦点検出領域の選択を可能とし、表示手段に、選択された焦点検出領域をファインダー表示部に表示させるとともに、信号に応じて該選択された焦点検出領域の表示形態を変更させるようにするとよい。
【００２７】
マニュアルフォーカスとオートフォーカスとを選択する選択手段を設け、制御手段に、オートフォーカスが選択されたときにのみ判別を行うようにさせるとよい。
【００２８】
制御手段に、補正情報が記憶手段に記憶されていないと判別したときは、カメラの撮影動作を制限させてもよい。
【００２９】
本願発明のカメラシステムの第４の構成は、カメラと該カメラに装着される撮影レンズとを含むカメラシステムであって、カメラに装着された撮影レンズに応じた焦点調節制御を行う制御手段と、該制御手段が、焦点調節制御を行うときに、該焦点調節制御における演算結果を補正するための補正情報を、撮影レンズと関連付けて記憶する記憶手段とを有し、制御手段は、カメラに装着された撮影レンズを識別して、該識別した撮影レンズに応じた補正情報が記憶手段に記憶されているか否かの判別を行い、該撮影レンズを用いてのカメラによる撮影画像データと判別結果とを関連付けて記録媒体に記録することを特徴とする。
【００３０】
また制御手段に、カメラに撮影レンズが装着された状態で補正情報を求めるための動作を行わせ、該求めた補正情報を該撮影レンズに関連付けて記憶手段に記憶させるようにするとよい。
【００３１】
制御手段に、補正情報が記憶手段に記憶されていると判別したときにのみ、撮影画像データと判別結果とを関連付けて記録媒体に記録させるようにしてもよい。
【００３２】
カメラにおいて焦点検出領域の選択を可能とし、記憶手段に、焦点検出領域ごとに補正情報の記憶を可能とさせ、制御手段に、選択された焦点検出領域に対する補正情報が記憶手段に記憶されていると判別したときに、該選択された焦点検出領域を示すデータを記録媒体に記録するようにさせるとよい。
【００３３】
記録手段に記録された撮影画像データを再生表示する再生手段を設け、制御手段に、再生された撮影画像データとともに判別結果を表示させるようにするとよい。
【００３４】
上述のカメラシステムに用いられるカメラに、上述の制御手段を設けてもよい。
上述のカメラシステムに用いられるカメラに、上述の制御手段と上述の記録手段を設けてもよい。
【００３５】
上述のカメラシステムに用いられるアクセサリに、記録手段を設けてもよい。上述のカメラシステムに用いられる撮影レンズに記録手段を設けてもよい。
【発明の効果】
【００３６】
上述の本願発明のカメラシステムの第１の構成によれば、カメラに装着されたアクセサリ(例えば、撮影レンズ、ストロボ)の情報(アクセサリに応じた制御を行うときに用いる情報)が記憶手段に記憶されているか否かが判別され、判別結果に応じた信号(例えば、画像信号、音声信号、振動、これらの組み合わせ)が出力されるため、この信号に基づきアクセサリの情報が記憶手段に記憶されているかどうかの判別を容易に行なうことができる。
【００３７】
また、情報を、制御のための演算結果を、アクセサリに応じて補正するための補正情報とすることにより、アクセサリとの関連で必要な補正情報が記憶手段に記憶されているかどうかを、判別結果に応じた信号に基づき容易に判別することができる。
【００３８】
また、制御手段に、カメラにアクセサリが装着された状態で補正情報を求めるための動作を行わせ、該求めた補正情報を該カメラアクセサリに関連付けて記憶手段に記憶させることにより、アクセサリに応じた補正情報を確実に記憶手段に記憶することができる。
【００３９】
また、信号に基づく表示を行う表示手段を設けることにより、アクセサリの記憶情報が記憶手段に記憶されているかどうかを視覚を通して正確に判別することができる。
【００４０】
本願発明のカメラシステムの第２の構成によれば、カメラに装着されたアクセサリを識別して、該識別したアクセサリに応じた情報(アクセサリに応じた制御を行うときに用いる情報)が記憶手段に記憶されているか否かの判別を行い、該アクセサリを用いてのカメラによる撮影画像データと判別結果とを関連付けて記憶媒体に記憶するようにしているため、アクセサリに応じた情報の有無と撮影画像データを結びつけて記憶することができる。これにより、撮影画再生時に補正が行なわれた状態で撮影されたのかどうかを判別することができる。また、アクセサリに応じた情報の有無を撮影画像データを記憶する記憶媒体に記憶させているため、多数の該情報の有無をカメラシステムの中に記憶させることができる。
【００４１】
また、情報を、制御のための演算結果を、アクセサリに応じて補正するための補正情報とすることにより、アクセサリとの関連で必要な補正情報の有無を撮影画像デートと結びつけて記憶させることができる。
【００４２】
また、制御手段に、カメラにアクセサリが装着された状態で補正情報を求めるための動作を行わせ、該求めた補正情報を該カメラアクセサリに関連付けて記憶手段に記憶させることにより、アクセサリに応じた補正情報を確実に記憶手段に記憶することができる。
【００４３】
本願発明のカメラシステムの第３の構成によれば、カメラに装着された撮影レンズを識別して、該識別した撮影レンズに応じた補正情報(焦点調節制御における演算結果を補正するための補正情報)が記憶手段に記憶されているか否かの判別を行い、該判別結果に応じた信号(例えば、映像信号、音声信号、振動)を出力するよう構成しているため、この信号に基づき、撮影レンズに関連した焦点調節のための補正情報がカメラシステム内に記憶されているかどうかを判断することができ、良好なピント状態の撮影を行なうことができる。
【００４４】
制御手段に、カメラに撮影レンズが装着された状態で補正情報を求めるための動作を行わせ、該求めた補正情報を該撮影レンズに関連付けて記憶手段に記憶させることにより、焦点調節に必要な補正情報を撮影レンズと結びつけて記録することができる。
【００４５】
また、信号に基づく表示を行う表示手段を設けることにより、撮影レンズに応じた焦点検出制御における演算結果を補正するための補正情報の有無を視覚によって判別することができる。
【００４６】
表示手段での表示形態を変更すれば、補正情報の有無を見落とすおそれを軽減することができる。
【００４７】
カメラに対する撮影レンズの装着を検出する検出手段を設け、制御手段に、検出手段により撮影レンズの装着が検出されたときに判別を行うようにさせることにより、補正情報の有無を撮影前に確実に表示手段により表示させることができる。
【００４８】
使用者による操作に応じて、制御手段に判別を行わせる操作手段を備え付けることにより、使用者の意思に基づき補正情報の有無を表示手段に表示させることができる。すなわち、撮影者は知りたいときだけ確認でき、その他のときは表示しないので、撮影時常に表示される煩わしさがなく、撮影者は撮影に集中することができる。
【００４９】
制御手段に、補正情報が記憶手段に記憶されていないと判別したときは、表示手段に警告表示を行わせる信号を出力するようにさせることにより、使用者に補正情報が記憶されていないことを確実に認識させることができる。
【００５０】
マニュアルフォーカスとオートフォーカスとを選択する選択手段を設け、制御手段に、オートフォーカスが選択されたときにのみ判別を行うようにさせることにより、マニュアルフォーカス時は、常に警告表示がされないので、ピント合わせに集中することができる。
【００５１】
制御手段に、補正情報が記憶手段に記憶されていないと判別したときは、カメラの撮影動作を制限したので、焦点がずれている状態での撮影を禁止することができる。
【００５２】
本願発明のカメラシステムの第４の構成によれば、カメラに装着された撮影レンズを識別して、該識別した撮影レンズに応じた補正情報が記憶手段に記憶されているか否かの判別を行い、該撮影レンズを用いてのカメラによる撮影画像データと判別結果とを関連付けて記録媒体に記録することができるため、撮影レンズに応じた情報の有無と撮影画像データを結びつけて記憶することができる。これにより、撮影画再生時に焦点調節に関する補正が行なわれた状態で撮影されたのかどうかを判別することができる。また、補正情報の有無を撮影画像データを記憶する記憶媒体に記憶させているため、多数の該情報の有無をカメラシステムの中に記憶させることができる。
【００５３】
また制御手段に、カメラに撮影レンズが装着された状態で補正情報を求めるための動作を行わせ、該求めた補正情報を該撮影レンズに関連付けて記憶手段に記憶させることにより、補正情報を確実に記憶手段に記憶することができる。
【００５４】
記録手段に記録された撮影画像データを再生表示する再生手段を設け、制御手段に、再生された撮影画像データとともに判別結果を表示させるようにすることにより、再生時に焦点調節が行なわれた状態で撮影されたのかどうかを判別することができる。
【発明を実施するための最良の形態】
【００５５】
以下、本発明の実施の形態を一眼レフタイプデジタルカメラシステムの実施例により詳しく説明する。
【実施例１】
【００５６】
図１および図２は、本発明の実施例である“一眼レフタイプデジタルカメラシステム”を示している。
【００５７】
図１は、本発明の実施例による一眼レフタイプのデジタルカメラシステムの構成を示す上面図、図２は同デジタルカメラシステムの構成を示す背面図である。
【００５８】
図１及び図２において２００はカメラ本体、１００は撮影レンズユニットである。２０６はファインダー観察用の接眼窓である。２はＡＦ補正確認ボタン（補正確認手段）、３はＡＥ（自動露出）ロックボタン、２２８はＡＦ（オートフォーカス）の焦点検出領域選択ボタンである。５はカメラ本体２００を縦位置に構えた時に使用する縦位置用ＡＥ（自動露出）ロックボタンで、ＡＥロックボタン３と同一の機能を有する。同様に６もカメラ本体２００を縦位置に構えた時に使用する縦位置用の焦点検出領域選択ボタンで、焦点検出領域選択ボタン２２８と同一の機能を有する。
【００５９】
７は撮影操作を行うためのレリーズボタンであり、第１ストローク操作でレリーズＳＷ１＿２３１がＯＮし、第２ストロークでレリーズＳＷ２＿２３０がＯＮする構成となっている。
【００６０】
２２６はメイン電子ダイヤルで、例えば９０°位相のずれた２ビットの信号をシステムコントローラ２２３に送ることにより、回転方向と回転クリック数が検出される。この回転方向と回転クリック数を検出することで、他の操作釦と併用して、カメラに数値を入力したり、撮影モードを切り換えたりすることが可能となる。
【００６１】
尚、この情報設定方法は、例えば、特開昭６０−１０３３３１号公報に開示された手段により行なうことができる。
【００６２】
図１及び図２において、２２９は撮影モード選択ボタン、２３３はＡＦモード選択ボタン、２３５は測光モード選択ボタンで、調光補正ボタンも兼ねている。
【００６３】
例えば、撮影モード選択ボタン２２９を押しながらメイン電子ダイヤル２２６を回転させると、ＴＶ優先→ＡＶ優先→マニアル→プログラム→ＴＶ優先→ＡＶ優先→マニュアル→プログラム…の順序でモードが変更され、撮影者の意図するモードに設定することができる。
【００６４】
また、メイン電子ダイヤル２２６を逆回転させた時は、プログラム→マニュアル→ＡＶ優先→ＴＶ優先→プログラム→…の順序でモードが変更される。
【００６５】
また、撮影モード選択ボタン２２９と電子ダイヤル２２６によりＴＶ優先モードが設定されている場合には、メイン電子ダイヤル２２６を回転させることにより撮影者の希望するＴＶ値を設定することができる。
【００６６】
また、撮影モード選択ボタン２２９とメイン電子ダイヤル２２６によりＡＶ優先モードが設定されている場合には、メイン電子ダイヤル２２６を回転させることにより撮影者の希望するＡＶ値に設定することができる。
【００６７】
また、ＡＦモード選択ボタン２３３を押しながらメイン電子ダイヤル２２６を回転させることで、ＡＦ（オートフォーカス）モード⇔ＭＦ（マニュアルフォーカス）モードの選択が可能となる。
【００６８】
なお、ＡＦモード選択ボタン２３３とメイン電子ダイヤル２２６とから、フォーカスモード選択手段を構成している。
【００６９】
２５０は撮影条件等を表示する外部表示機能を備えた液晶表示装置よりなる外部液晶表示装置である。尚、表示内容の詳細について図３を用いて後述する。
【００７０】
１３は外部液晶表示装置２５０の裏面に設置されている不図示のバックライト照明装置をオン／オフするための表示パネル照明ボタンである。
【００７１】
１４は露出の補正を行うための露出補正ボタンである。撮影モード選択ボタン２２９とメイン電子ダイヤル２２６によりマニュアルモードが設定された時は、露出補正ボタン１４を押した後、メイン電子ダイヤル２２６を回転させることで絞り値の入力設定、また、プログラムモード（Ｐ）・シャッター優先モード（Ｔｖ）・絞り優先モード（Ａｖ）においては、露出補正ボタン１４を押した後メイン電子ダイヤル２２６を回転させることにより、測光した適正露出に対し、カメラの制御露光量を変更する露出補正量の入力設定を行うものである。
【００７２】
図２において、１５は不図示のアイピースシャッターを駆動させるための、アイピースシャッターレバーである。このアイピースシャッターレバー１５を時計周り方向に回動させることにより、不図示のアイピースシャッターが接眼窓２を覆い接眼窓からの入光を防ぐことができる。
【００７３】
１６は視度の調整を行うための、視度補正ダイヤルである。この視度補正ダイヤル１６を回転させることにより、不図示の視度補正レンズが駆動され、視度調整を行うことができる。
【００７４】
１７はメイン電子ダイヤル２２６と同様の機能を備えたサブ電子ダイヤルである。撮影モード選択ボタン２２９とメイン電子ダイヤル２２６によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００７５】
１８はサブ電子ダイヤル１７による入力機能をロックするダイヤルロックスイッチ、１９は本デジタルカメラの全ての動作を禁止するメインスイッチである。
【００７６】
２１３は撮影された画像を表示する時や、本デジタルカメラの設定状態などを表示するＬＣＤモニタ装置（液晶表示器）である。
【００７７】
なお、本実施例によるＬＣＤモニタ装置２１３は透過型であるため、ＬＣＤモニタ装置の駆動だけでは、画像を視認することはできず、必ずその裏面には不図示のバックライト照明装置が必要である。
【００７８】
２２はカメラの初期設定を行う際に各種モードを選択するためのメニュー選択ボタンである。各モードを選択する時は、メニューボタン２２を押しながらサブ電子ダイヤル１７を回転して希望のメニューを選択し、希望のメニューが選択された後、メニュー選択ボタン２２を離すことにより選択が完了する。
【００７９】
その後、選択したメニューの機能をオン／オフするためには、選択ボタン２３を押しながらサブ電子ダイヤル１７を回転してオン／オフのどちらかを選択後、選択ボタン２３を離すことで選択が完了する。
【００８０】
２４は記録媒体２１８内に記録されている画像ファイル（撮影画像）を、ＬＣＤモニタ装置２１３に表示させるためのディスプレイボタンである。ディスプレイボタン２４を押しながらサブ電子ダイヤル１７を回転させることで、画像ファイルが順次ＬＣＤモニタ装置２１３に表示され、希望の画像を選択後ディスプレイボタン２４を離すことで選択が完了し、ＬＣＤモニタ装置２１３に表示される。
【００８１】
２５は記録媒体２１８に記録されている画像ファイル（撮影画像）を消去するための消去ボタンで、ディスプレイボタン２３とサブ電子ダイヤル１７にて画像を選択後、消去ボタン２５を押すことで、画像の消去が可能である。
【００８２】
２６は撮影した画像ファイルの圧縮率や画像サイズなどを選択する記録画質選択ボタンで、メニューボタン２２とサブ電子ダイヤル１７とで画質変更メニューを選択後、記録画質選択ボタン２６とサブ電子ダイヤル１７にて希望の圧縮率や画像サイズを選択し、記録画質選択ボタン２６を離すことで選択が完了する。
【００８３】
２７は予めカメラ内に記憶されているホワイトバランス調整値を選択するための、ホワイトバランス選択ボタンである。メニューボタン２２とサブ電子ダイヤル１７とでホワイトバランス変更メニューを選択後、ホワイトバランス選択ボタン２７とサブ電子ダイヤル１７にて希望のホワイトバランス調整値を選択し、ホワイトバランス選択ボタン２７を離すことで選択が完了する。
【００８４】
２８はカードスロットカバー開閉つまみで、反時計周り方向に回すことで、カードスロットカバー２９が開放され、中に収納されている記録媒体の装着や取り外しを行うことが可能となる。
【００８５】
３０はアクセスランプで装着されている記録媒体に撮影した画像ファイルを書き込む時や、記録媒体に書き込まれた画像ファイルを読み出す場合など記録媒体にアクセス中であるときは点滅を行う。
【００８６】
２１８は、本デジタルカメラのグリップ部内３６に配置されている記録媒体である。３３は記録媒体２１８を取り外すための、カード取り外しボタンである。３５は本デジタルカメラシステムを駆動させるための電源電池である。
【００８７】
次に図３を用いて、外部液晶表示装置２５０の表示内容について詳細に説明する。図３において、２５０ａは撮影モードの状態を表示している。２５０ｂは通常撮影時には絞り値を７セグメントにて表示し、また、ＡＦピント補正量を表示することもある。なお、ＡＦピント補正量を表示するタイミングについては後述する。
【００８８】
２５０ｃはシャッタースピードを７セグメントにて表示している。２５０ｄは撮影可能枚数を表示し、２５０ｈはＡＦピント補正量が算出されているカメラ本体と撮影レンズの組み合わせであることを撮影者に報知する補正量識別マークである。なお、ＡＦピント補正量及び補正量識別マークを表示するタイミングについては後述する。
【００８９】
２５０ｅにはＡＦモードの状態が表示され、２５０ｆにはドライブモードの状態が表示される。２５０ｇは露出補正量をドットにて表示し、１ドット１／３段を表している。２５０ｊは電源電池３５の残り容量の目安を表示し、２５０ｋは測光モードの状態を表示している。
【００９０】
図４は、本デジタルカメラのファインダ画面内に表示される表示内容を全て表示させた状態を示すファインダ視野図である。図４(ａ)はファインダ視野全体の図を示し、図４(ｂ)はファインダ視野外に配置されている内部液晶表示装置２５１の詳細図である。
【００９１】
図４において、４８は視野マスク、４９は不図示のピント板に形成された焦点検出領域を示す焦点検出視野枠である。該焦点検出視野枠内には焦点検出領域セグメント（今後測距点とも記すときがある）５０〜９４がスーパーインポーズ表示される。なお、スーパーインポーズ表示させる構成については、例えば、特開２０００−２５０１２０号公報に記載されている。
【００９２】
２５１はファインダ視野外に配置されている内部液晶表示装置である。図４(ｂ)において、２５１ａは測光モードの状態を表示し、２５１ｂは合焦時に点灯する合焦マークである。２５１ｃはシャッタースピードを７セグメントにて表示している。
【００９３】
２５１ｄは撮影可能枚数を表示し、２５１ｅはＡＦピント補正量が算出されているカメラ本体と撮影レンズの組み合わせであることを撮影者に報知する補正量識別マークである。なお、ＡＦピント補正量及び補正量識別マークを表示するタイミングについては後述する。
【００９４】
２５１ｆは通常撮影時には絞り値を７セグメントにて表示し、また、ＡＦピント補正量を表示することもある。なお、ＡＦピント補正量を表示するタイミングについては後述する。
【００９５】
図５は前記構成のデジタルカメラに内蔵された電気的構成を示すブロック図であり、図１〜図４と同一の要素は同一番号を付けている。
【００９６】
図５に示すように本実施例のデジタルカメラ２００には、不図示のマウント部を介して撮影レンズユニット１００が着脱可能に取り付けられる。マウント部には、電気的接点群１０７が設けられている。
【００９７】
接点郡１０７はカメラ本体２００と撮影レンズ１００との間で制御信号、状態信号、データ信号などを送受信するとともに、各種電圧の電流供給する機能と、さらに撮影レンズユニットが接続されるとシステムコントローラ２２３へ信号を送信する機能も備えている。
【００９８】
これによりデジタルカメラ２００と撮影レンズユニット１００の間で通信を行い撮影レンズユニット内の撮影レンズ１０１・絞り１０２の駆動を行うことが可能となる。また、接点群１０７は電気通信のみならず、光通信、音声通信等を伝達する構成としても良い。
【００９９】
なお、本実施例では便宜上１枚の撮影レンズで示しているが、実際はさらに多数のレンズから構成されていることは周知の通りである。また、接点群１０７とシステムコントローラ２２３とから、レンズ検出手段を構成している。
【０１００】
図示されない被写体像からの撮影光束が、撮影レンズ１０１及び絞り１０２を介して、クイックリターンミラー２０２に導かれる。クイックリターンミラー２０２の中央部はハーフミラーになっており、該クイックリターンミラー２０２がダウンした際に一部の光束が透過する。そして、この透過した光束は、クイックリターンミラー２０２に設置されたサブミラー２０３にて下方へ反射される。
【０１０１】
２０４は不図示である結像面近傍に配置されたフィールドレンズ、反射ミラー及び、２次結像レンズ、絞り、複数のＣＣＤから成るラインセンサ等から構成されている周知の位相差方式のＡＦセンサユニットであり、図４ですでに説明したファインダ視野内の焦点検出領域５０〜９４の位置において、被写界の４５箇所の領域を焦点検出可能なように構成されている。
【０１０２】
そして、システムコントローラ２２３から出力された制御信号に基づき、焦点検出回路２０５がＡＦセンサユニット２０４をコントロールし、周知の位相差検出方式により焦点検出を行う。
【０１０３】
なお、ＡＦセンサユニット２０４と焦点検出回路２０５とから焦点検出手段を構成している。
【０１０４】
一方、クイックリターンミラー２０２で反射された撮影光束は、ペンタプリズム２０１、接眼レンズ２０６を介して撮影者の目に至る。
【０１０５】
また、クイックリターンミラー２０２がアップした際には、上記撮影レンズ１０１からの光束は、機械シャッタであるフォーカルプレーンシャッタ２０８、フィルタ２０９を介して撮像手段である撮像素子２１０(例えば、ＣＣＤ，ＣＭＯＳイメージセンサ)に至る。
【０１０６】
なお、ここではＣＣＤ，ＣＭＯＳなどの固体撮像素子を用いているが、銀塩フィルム或いはビディコン等の撮像管でも良い。
【０１０７】
上記フィルタ２０９は２つの機能を有しているもので、１つは赤外線をカットし可視光線のみを撮像素子２１０へ導く機能であり、もう１つは光学ローパスフィルタとしての機能である。また、フォーカルプレーンシャッタ２０８は、先幕及び後幕を有して成るもので、撮影レンズ１０１からの光束を透過、遮断を制御する。
【０１０８】
なお、クイックリターンミラー２０２のアップ時に、サブミラー２０３はクイックリターンミラー２０２に対する折り畳み動作を開始する。
【０１０９】
また、本実施例のデジタルカメラ２００は、当該デジタルカメラ全体の制御手段となり、制御を司るＣＰＵにより構成されるシステムコントローラ２２３（以下ＣＰＵ２２３と称することもある）を備え、後述する各部の動作を適宜制御する。なお、システムコントローラ２２３は補正量算出手段と、判別手段とに相当する。
【０１１０】
上記システムコントローラ２２３は、上記撮影レンズ１０１を光軸方向に移動してピント合わせを行うためのレンズ駆動機構１０３を制御するレンズ制御回路１０４と、上記絞り１０２を駆動するための絞り駆動機構１０５を制御する絞り制御回路１０６と、クイックリターンミラー２０２のアップ・ダウンの駆動及びフォーカルプレーンシャッタ２０８のシャッタチャージを制御するシャッタチャージ・ミラー駆動機構２１１と、フォーカルプレーンシャッタ２０８の先幕、後幕の走行を制御するためのシャッタ制御回路２１２と、上記接眼レンズ２０６の近傍に配設された不図示の測光センサに接続された自動露出装置である測光回路２０７と、当該デジタルカメラ２００を制御する上で調整が必要なパラメータやデジタルカメラの個体識別が可能なカメラＩＤ情報や基準レンズで調整されたＡＦ補正データや自動露出補正値などが記憶されている記憶手段であるＥＥＰＲＯＭ２２２と等が接続されている。
【０１１１】
レンズ制御回路１０４にはレンズ固有の情報、例えば焦点距離、開放絞り、レンズ個々に割り振られるレンズＩＤという情報とシーケンスコントローラ２２３から受け取った情報を記憶するレンズ記憶装置も有している。
【０１１２】
上記測光回路２０７に接続される測光センサは、被写体の輝度を測定するためのセンサであり、その出力は測光回路２０７を経てシステムコントローラ２２３へ供給される。
【０１１３】
また、上記システムコントローラ２２３は、上記レンズ駆動機構１０３を制御することにより、被写体像を撮像素子２１０上に結像する。また、システムコントローラ２２３は、設定されたＡｖ値に基いて、絞り１０２を駆動する絞り駆動機構１０５を制御し、更に、設定されたＴｖ値に基いて、上記シャッタ制御回路２１２へ制御信号を出力する。
【０１１４】
上記フォーカルプレーンシャッタ２０８の先幕、後幕は、駆動源がバネにより構成されており、シャッタ走行後次の動作のためにバネチャージを要する。シャッタチャージ・ミラー駆動機構２１１は、このバネチャージを制御するようになっている。また、シャッタチャージ・ミラー駆動機構２１１によりクリックリターンミラー２０２のアップ・ダウンが行われる。
【０１１５】
また、上記システムコントローラ２２３には、画像データコントローラ２２０が接続されている。この画像データコントローラ２２０は、ＤＳＰ（デジタル信号プロセッサ）により構成され、撮像素子２１０の制御、該撮像素子２１０から入力された画像データの補正や加工などをシステムコントローラ２２３の指令に基いて実行するものである。画像データの補正・加工の項目の中にはオートホワイトバランスも含まれている。オートホワイトバランスとは、撮影画像中の最大輝度の部分を所定の色（白色）に補正する機能である。オートホワイトバランスは、シーケンスコントローラ２２３からの命令により補正量を変更する事が可能である。
【０１１６】
上記画像データコントローラ２２０には、撮像素子２１０を駆動する際に必要なパルス信号を出力するタイミングパルス発生回路２１７と、撮像素子２１０と共にタイミングパルス発生回路２１７で発生されたタイミングパルスを受けて、該撮像素子２１０から出力される被写体像に対応したアナログ信号をデジタル信号に変換するためのＡ／Ｄコンバータ２１６と、得られた画像データ（デジタルデータ）を一時的に記憶しておくＤＲＡＭ２２１と、Ｄ／Ａコンバータ２１５及び画像圧縮回路２１９とが接続されている。
【０１１７】
なお、画像データコントローラ２２０と画像圧縮回路２１９と記録媒体２１８とから記録手段を構成している。
【０１１８】
上記ＤＲＡＭ２２１は、加工や所定のフォーマットへのデータ変換が行われる前の画像データを一時的に記憶するために使用される。
【０１１９】
また、上記Ｄ／Ａコンバータ２１５には、エンコーダ回路２１４を介してＬＣＤモニタ装置２１３が接続される。更に、画像圧縮回路２１９には、記録手段である記録媒体２１８が接続される。
【０１２０】
上記ＬＣＤモニタ装置２１３は、撮像素子２１０で撮像された画像データを表示するための回路であり、一般にはカラーの液晶表示素子により構成される。
【０１２１】
画像データコントローラ２２０は、ＤＲＡＭ２２１上の画像データを、Ｄ／Ａコンバータ２１５によりアナログ信号に変換してエンコーダ回路３１へ出力する。エンコーダ回路２１４はこのＤ／Ａコンバータ２１５の出力を、上記ＬＣＤモニタ装置２１３を駆動する際に必要な映像信号（例えばＮＴＳＣ信号）に変換する。
なお、Ｄ／Ａコンバータ２１５とＬＣＤモニタ装置２１３とエンコーダ回路２１４とから画像表示手段を構成している。
【０１２２】
上記画像圧縮回路２１９は、ＤＲＡＭ２２１に記憶された画像データの圧縮や変換（例えばＪＰＥＧ）を行うための回路である。変換された画像データは、記録媒体２１８へ格納される。この記録媒体としては、ハードディスク、フラッシュメモリ、フレキシブルディスク等が使用される。
【０１２３】
さらにシステムコントローラ２２３には、当該デジタルカメラの動作モードの情報や露出情報（シャッタ秒時、絞り値等）などを外部液晶表示装置２５０や内部液晶表示装置２５１に表示させる動作表示回路２２５と、メイン電子ダイヤル２２６と、ＡＦ補正確認ボタンと、ＡＦセンサ２０４が持つ複数の焦点検出位置から使用する焦点検出位置を選択するための焦点検出領域選択ボタン２３５（焦点検出領域選択手段に相当する）と、ユーザが所望の動作を当該電子カメラに実行させるべくモードを設定するモード選択ボタン２２９と、測光・測距などの撮影準備動作を開始させるためのレリーズＳＷ１（２３１）、撮像動作を開始させるためのレリーズＳＷ２（２３０）と、ＡＦモード選択ボタン２３３と、測光モード選択ボタン２３５とが接続されている。
【０１２４】
なお、外部液晶表示装置２５０と内部液晶表示装置２５１とが表示手段に相当し、さらに、外部液晶表示装置２５０は外部表示手段・内部液晶表示装置２５１は内部表示手段にそれぞれ相当する。さらに、動作表示回路２２５とシステムコントローラ２２３とから表示制御手段を構成している。
【０１２５】
次に、図６〜図９を用いて以上のように構成されたデジタルカメラの、動作フローについて説明する。図６は本発明の識別マークの表示を示すフローチャートである。図６においてステップ１０１(図面では「Ｓ」と略す)では、カメラ本体２００に撮影レンズ１００が装着されたか否かを検出し、装着されたと判別されたときにはステップ１０２に移行する。
【０１２６】
ステップ１０２では、システムコントローラ２２３はレンズ制御回路１０４と通信を行い、レンズＩＤ情報を受け取り、ステップ１０３に進む。
【０１２７】
ステップ１０３においてシステムコントローラ２２３は、ＥＥＰＲＯＭ２２２と通信を行い、取得したレンズＩＤ情報が記憶されているか否かを判別する。ＥＥＰＲＯＭ２２２と通信を行った結果、取得したレンズＩＤ情報が記憶されているならば、今回装着された撮影レンズ１００はピント補正の補正量が算出されていると判別して、ステップ１０４へ移行する。
【０１２８】
また、ＥＥＰＲＯＭ２２２と通信を行った結果、取得したレンズＩＤ情報が記憶されていない場合は、ピント補正量の算出が行われていない撮影レンズが装着された判別して、ステップ１０８へ移行する。
【０１２９】
ステップ１０３にてピント補正量が算出されていない撮影レンズが装着されたと判別されステップ１０４へ移行した場合は、所定時間のタイマーをスタートさせステップ１０５に進む。
【０１３０】
ステップ１０５では、外部液晶表示装置２５０と内部液晶表示装置２５１に補正量識別マーク及びＡＦ補正量を表示する。
【０１３１】
ここで、図７を用いて、補正量識別マーク及びＡＦ補正量を表示について説明する。
図７において、図７(ａ)及び図７(ｂ)はピント補正量算出済みの撮影レンズユニット１００が装着された場合の外部液晶表示２５０及び内部液晶表示２５１の表示状態を示している。
【０１３２】
図７(ａ)において、２５０ｈはピント補正量が算出済みである事を示す補正量識別マークで、２５０ｂは算出されたピント補正量を示していて（単位はミクロン）、図７(ａ)においては、＋２０ミクロン補正されていることを示している。
【０１３３】
図７(ｂ)において、２５１ｅはピント補正量が算出済みである事を示す補正量識別マークで、２５１ｆは算出されたピント補正量を示していて（単位はミクロン）、図７(ｂ)においては、＋２０ミクロン補正されていることを示している。
【０１３４】
この様に、補正量識別マークを表示することにより、撮影者はピント補正が行われているデジタルカメラと撮影レンズユニットの組み合わせと認識することができるので、安心して撮影を行うことができる。
【０１３５】
図６に戻って、ステップ１０５にて、補正量識別マークを表示後、ステップ１０６に進み、ステップ１０４にてスタートさせたタイマーがタイムアップしているか否かを判別する。タイムアップしていないと判別されたときには、ステップ１０５に戻り、補正量識別マークの表示を続行する。
【０１３６】
また、タイムアップしていると判別された場合は、ステップ１０７に進み、ステップ１０５にて表示した補正量識別マークを消燈させ、撮影の準備状態へ戻る。
この様に撮影レンズ装着後所定時間だけ補正量識別マークを表示するようにしたので、撮影中常に表示した場合の煩わしさを解消することができる。
【０１３７】
ステップ１０３において、ピント補正量が算出されていない撮影レンズユニット１００が装着されたと判別された場合、ステップ１０８に進み補正量識別マークを点滅させる。
ここで、図７の図７(ｃ)及び図７(ｄ)を用いて表示形態について説明する。図７(ｃ)及び図７(ｄ)はピント補正量が算出されていない撮影レンズユニット１００が装着された場合の外部液晶表示２５０及び内部液晶表示２５１の表示状態を示している。
【０１３８】
図７(ｃ)、図７(ｄ)に示すように、補正量識別マーク２５０ｈと２５１ｅが点滅することで、撮影者はピント補正量が算出されていない、つまり、ピント補正が行われない撮影レンズが装着されたことを容易に認識できるので、ピントが合っていないまま撮影を続けるなどの問題を回避することができる。
【０１３９】
なお、本実施例では補正量識別マーク２５０ｈと２５１ｅが点滅することで、撮影者に警告表示を行っているが、警告表示ではなく、撮影動作を禁止しても良い。また、音声を発したり、カメラを振動させたりすることにより警告を行なうようにしてもよい。
【０１４０】
図６に戻って、ステップ１０８にて補正量識別マークを点滅後ステップ１０９にて、ＡＦモードがＡＦモード選択ボタン２３３を操作することにより、マニュアルフォーカスモードに選択されているかを判別する。そして、マニュアルフォーカスモードが選択されていないと判別されたときには、ステップ１０８に戻って補正量識別マークの点滅を続行する。
【０１４１】
また、マニュアルフォーカスモードが選択されていると判別されたときには、ステップ１０７に移行して、補正量識別マークを消燈させる。
このように、マニュアルフォーカスモードが選択された場合は、撮影者自身がピント合わせを行うため、ピント補正が行われないことを撮影者に報知する必要が無くなる。つまり、識別マークを点滅させる必要も無いので、識別マークを消燈させることで、撮影者の煩わしさをなくすことができる。
【０１４２】
なお、本実施例においては、レンズ装着後所定時間だけ識別マークを表示するようにしたが、撮影中常に表示するようにしても良い。また、外部液晶表示２５０及び内部液晶表示２５１両方に識別マークを表示するようにしたが、どちらか一方だけ表示するようにしても構わない。
【実施例２】
【０１４３】
図８のフローチャートを用いて本実施例のＡＦ補正確認ボタン２が押された場合の補正量識別マーク表示方法について説明する。なお、本実施例のカメラシステムの構成は実施例１と同一であるので、ここでの説明は省略する。
【０１４４】
図８において、ステップ２０１でＡＦ補正確認ボタン２が押されたか否かを判別する。ＡＦ補正確認ボタン２が押されていないと判別されたときは、ＡＦ補正確認ボタン２が押されるまで判別を繰り返す。
【０１４５】
また、ＡＦ補正確認ボタン２が押されていないと判別されたときには、ステップ２０２へ移行し、システムコントローラ２２３はレンズ制御回路１０４と通信を行い、レンズＩＤ情報を受け取り、ステップ２０３に進む。
【０１４６】
ステップ２０３においてシステムコントローラ２２３は、ＥＥＰＲＯＭ２２２と通信を行い、取得したレンズＩＤ情報が記憶されているか否かを判別する。ＥＥＰＲＯＭ２２２と通信を行った結果、取得したレンズＩＤ情報が記憶されているならば、今回装着された撮影レンズ１００はピント補正の補正量が算出されていると判別して、ステップ２０４に進む。
【０１４７】
また、ＥＥＰＲＯＭ２２２と通信を行った結果、取得したレンズＩＤ情報が記憶されていない場合は、ピント補正量の算出が行われていない撮影レンズが装着されたと判別して、ステップ２０８に進む。
【０１４８】
ステップ２０３にてピント補正量が算出されていない撮影レンズユニットが装着されたと判別されステップ２０４に進んだ場合は、ステップ２０４にて所定時間のタイマーをスタートさせステップ２０５に進む。
【０１４９】
ステップ２０５では、外部液晶表示装置２５０と内部液晶表示装置２５１に識別マーク及び補正量を表示する。
なお、識別マークの表示方法については、実施例１と同様に図７(ａ)、図７(ｂ)に示すように行なう。
【０１５０】
ステップ２０５にて補正量識別マークを表示後、ステップ２０６へ移行して、ステップ２０４にてスタートさせたタイマーがタイムアップしているか否かを判別する。タイムアップしていないと判別されたときには、ステップ２０５に戻り、補正量識別マークの表示を続行する。
【０１５１】
また、タイムアップしていると判別された場合は、ステップ２０７へ移行して、ステップ２０５にて表示した補正量識別マークを消燈させ、撮影の準備状態へ戻る。
次にステップ２０３に戻って、ピント補正量が算出されていない撮影レンズが装着されたと判別された場合、ステップ２０８へ移行してタイマーをスタートさせ、ステップ２０９へ移行する。
【０１５２】
ステップ２０９において、図７(ｃ)と図７(ｄ)のような表示を行いステップ２１０へ移行する。なお、音声を発したり、カメラを振動させることにより警告を行なうようにしてもよい。
【０１５３】
ステップ２１０では、ステップ２０８にてスタートさせたタイマーがタイムアップしたか否かを判別し、タイムアップしていないと判別したときにはステップ２０９へ戻って、補正量識別マークの点滅表示を続行する。
【０１５４】
また、ステップ２１０にてタイムアップしたと判別されたときには、ステップ２０７へ移行して補正量識別マークを消燈する。
【０１５５】
この様に、補正確認ボタン２を押したときだけ補正量識別マークを表示するので、常に表示することによる煩わしさを解消することができる。
【実施例３】
【０１５６】
図９のフローチャートを用いて、本実施例の焦点検出エリアに対応した補正量識別マークの表示方法について説明する。なお、カメラシステムの構成は、実施例１と同一であるので、同一符号を付して説明を省略する。
【０１５７】
図９のステップ３０１において、焦点検出領域選択スイッチ２２８がＯＮしたか否かを検出し、ＯＮしていない（ＯＦＦ状態）と判別されたならば、ＯＮするまで検出を繰り返す。また、ＯＮしたと判別されたならば、ステップ３０２へ移行する。
【０１５８】
ステップ３０２では、メイン電子ダイヤル２２６が操作されたか否かを検出し、操作されていれば操作方向及び操作量の検出を行う。
【０１５９】
ステップ３０３では、ステップ３０２でのメイン電子ダイヤル２２６の操作方向・操作量に応じて、図４にてすでに説明したファインダ視野内の焦点検出領域５０〜９４のスーパーインポーズ表示を変更する。選択順序は、全部⇔焦点検出領域５０⇔焦点検出領域５１⇔・・・⇔焦点検出領域９４⇔全部  という順序で切り替わる。
【０１６０】
ステップ３０４では、ステップ３０３にて選択された焦点検出領域においてＡＦ補正量の算出が行われているか否かの判別を行う。そして、ＡＦ補正量の算出が行われていると判別された場合はステップ３０５に進み、ステップ３０５にて、スーパーインポーズ表示を点灯表示させる。
【０１６１】
また、ステップ３０４にてＡＦ補正量が算出されていないと判別されたときにはステップ３０６に進み、スーパーインポーズ表示を点灯表示させる。
【０１６２】
ここで図１０を用いて、上記ステップ３０５及び３０６の具体的な表示方法について説明する。
【０１６３】
図１０において図１０(ａ)はＡＦ補正量が算出されている焦点検出領域が選択された状態を示している。図に示すように焦点検出領域７２は点灯表示され、さらに、補正量識別マーク２５１ｅも点灯表示される。
【０１６４】
また、図１０(ｂ)はＡＦ補正量が算出されていない焦点検出領域が選択された状態を示している。図に示すように焦点検出領域７４は点滅状態で表示され、さらに、補正量識別マーク２５１ｅも点滅状態で表示される。
【０１６５】
図９に戻って、ステップ３０５・Ｓ３０６が終了するとステップ３０７に移行し、ステップ３０７にて焦点検出領域選択スイッチ２２８がＯＮされているか否か判別される。そして、ＯＮされていると判別されたときには、まだ、焦点検出領域選択シーケンスが実行されているので、ステップ３０２へ移行してすでに説明した動作を繰り返す。
【０１６６】
また、ステップ３０７にて焦点検出領域選択スイッチ２２８がＯＮしていないと（ＯＦＦ状態）判別されたときには、焦点検出領域選択シーケンスを終了する。
【０１６７】
以上説明したように、ＡＦ補正量が算出されていない焦点検出領域が選択されたときには、焦点検出領域及び補正量識別マークを点滅させるので、撮影者は容易にＡＦ補正が算出されていない焦点検出領域を選択したことを認識することができる。
なお、本実施例においては焦点検出領域及び補正量識別マークを点灯または点滅させることで、ＡＦ補正が行われているか否かを識別させているが、色を変えるようにしても良い。
【実施例４】
【０１６８】
図１１を用いて、第４の実施例である、補正量識別マークと画像ファイルの同時記録について説明する。
【０１６９】
ステップ４０１でレリーズＳＷ１（２３１）がＯＮされたか否かを判別する。ＯＮされていると判別されたときには撮像露出を決定するステップ４０２とステップ４０４に分岐・移行する。
【０１７０】
ステップ４０２では、撮影レンズ１０１を通り主ミラー２０２で反射され、ペンタプリズム２０１を通過した光束を測光回路２０７で測光する。ステップ４０３ではシーケンスコントローラ２２３が測光回路２０７の出力に応じて撮像時の露出量を決定する。
【０１７１】
ステップ４０４では、シーケンスコントローラ２２３がＡＦセンサーユニット２０４、焦点検出回路２０５を使い、焦点検出を行う。
【０１７２】
ステップ４０５で焦点検出できたか否かを判別する。焦点検出した対象物が低コントラストの場合や暗い場合には焦点検出が出来ない事がある。焦点検出が出来なかった場合、ステップ４０６へ移行し、警告を行う。
【０１７３】
ステップ４０７では、レンズＩＤ情報をシステムコントローラ２２３が受け取り、デジタルカメラ２００に取り付けられている撮影レンズ（レンズＩＤで判別）で、かつ焦点検出に使用している焦点検出エリアのＡＦ補正量（ＣＡＬデータ）がＥＥＰＲＯＭに記憶されているか否かを判別する。記憶されていないと判別されたならば、ＡＦ補正量を焦点検出結果に加算しない。記憶されていると判別されたならばステップ４０９で焦点検出結果にＡＦ補正量（ＣＡＬデータ）を加算し、ステップ４１０に移行する。
【０１７４】
ＡＦ補正データ（ＣＡＬデータ）を既に持っている場合には、レンズ駆動量は、レンズ駆動量＝焦点検出結果＋製造時のＡＦ補正値（調整データ）＋ＡＦ補正値（ＣＡＬデータ）となる。
【０１７５】
ステップ４１０では、焦点検出結果に基づき、システムコントローラ２２３よりレンズ制御回路１０４にレンズ駆動量を送信し、レンズ制御回路１０４は送信されたレンズ駆動量に基づきレンズ駆動機構１０３を制御し、レンズ駆動機構１０３は撮影レンズ１０１を合焦位置へと駆動する。
【０１７６】
ステップ４１１では、レリーズＳＷ２（２３０）がＯＮされたか否かを判別する。ＯＮされていると判別されたならば、ステップ４１２に進む。
【０１７７】
ステップ４１２では、システムコントローラ２２３によりシャッターチャージミラー駆動機構２１１を制御しクイックリターンミラー２０２及びサブミラー２０３をアップさせ撮影光路から退避させる。
【０１７８】
ステップ４１３では、ステップ４０３で設定された絞り値情報をシステムコントローラ２２３が絞り制御回路１０６へ送信し、絞り駆動機構１０５を駆動して、設定された絞り値まで絞り込みを行いステップ４１４に進む。
【０１７９】
ステップ４１４においてシステムコントローラ２２３はフォーカルプレーンシャッタ２０８を開くよう各部を制御する。さらにステップ４１５では、画像データコントローラ２２０（ＤＳＰ）に対して撮像素子２１０の積分動作を指示する。ステップ４１６では所定時間の間、待機する。そして積分時間が終わると、ステップ４１７に進み、フォーカルプレーンシャッタ２０８を閉じる。
【０１８０】
システムコントローラ２２３は、ステップ４１８において次回の動作に備えてフォーカルプレーンシャッタ２０８のチャージ動作及びミラーダウン駆動を行う。ステップ４１９において、絞りを開放へと駆動する。
【０１８１】
ステップ４２０では画像データコントローラ２２０に対して撮像素子２１０から画像データを読み出すように指示する。
【０１８２】
ステップ４２１では、撮像素子２０１から読み出された画像データを画像圧縮回路２１９で圧縮し、画像データと補正量識別マークを関連付けて記録媒体２１８に記録する。
【０１８３】
ここで、図１１で説明した画像データを再生した場合の表示状態について、図１２を用いて詳細に説明する。
図１２は、撮影画像をＬＣＤモニタ装置２１３に撮影画像を再生した時の図である。図１２において、５０１はＬＣＤモニタ装置１２０に再生された画像である。
【０１８４】
更に、撮影情報として、シャッタースピード５０２、絞り値５０３、撮影モード５０６、測光モード５０７、ＩＳＯ感度５０８、ホワイトバランスモード５０９、撮影年月日・撮影時刻５１０、ファイル番号５１１、記録画質５０５、ヒストグラム５１２、補正量識別マーク５１３が撮影画像と共にＬＣＤモニタ装置２１３に表示されている。さらに、５１４は図９にて説明したように選択された焦点検出領域に対応したものを赤色でスーパーインポーズ表示している。
【０１８５】
図１２(ａ)はＡＦ補正量が算出されている焦点検出領域にて撮影された場合の撮影画像を再生した状態を示している。この場合、焦点検出領域５１４及び補正量識別マーク５１３点灯表示している。
【０１８６】
また、図１２(ｂ)はＡＦ補正量が算出されていない焦点検出領域にて撮影された場合の撮影画像を再生した状態を示している。この場合、焦点検出領域５１４及び補正量識別マーク５１３点滅表示をしている。
【０１８７】
この様に、補正量識別マークと撮影画像を関連つけて保存することで、再生時にＡＦ補正量が算出されていない焦点検出領域にて撮影されたときには、焦点検出領域５１４及び補正量識別マーク５１３点滅表示させることができるので、撮影者は容易に認識することが可能となる。
【０１８８】
なお、本実施例においては焦点検出領域５１４及び補正量識別マーク５１３を点灯・点滅させることで、ＡＦ補正量が算出されている焦点検出領域にて撮影されたか否かを表しているが、色を変えることで撮影者に認識させても良い。
【図面の簡単な説明】
【０１８９】
【図１】本発明の実施例であるデジタルカメラの上面図
【図２】本発明の実施例であるデジタルカメラの背面図
【図３】本発明の実施例であるデジタルカメラに搭載されている外部液晶表示装置の詳細図
【図４】本発明の実施例であるデジタルカメラに搭載されている内部液晶表示装置の詳細図
【図５】本発明の実施例であるデジタルカメラのブロック図
【図６】本発明の実施例であるデジタルカメラの、識別マーク表示のフローチャート図
【図７】本発明の実施例であるデジタルカメラの、識別マーク表示状態を示した図
【図８】本発明の実施例１であるデジタルカメラの、識別マーク表示のフローチャート図
【図９】本発明の実施例１であるデジタルカメラの、焦点検出領域選択シーケンスを示すフローチャート図
【図１０】本発明の実施例１であるデジタルカメラの、焦点検出領域選択状態を示す図
【図１１】本発明の実施例であるデジタルカメラの、撮影シーケンス示すフローチャート図
【図１２】本発明の実施例であるデジタルカメラの、再生画面に識別マークを表示した状態を示す図。
【符号の説明】
【０１９０】
２００：デジタルカメラ本体  ２：接眼窓  ３：ＡＥロックボタン  ４：焦点検出領域選択ボタン  
５：縦位置用ＡＥロックボタン ６：縦位置用焦点検出領域選択ボタン  ７：レリーズボタン  
２２６：メイン電子ダイヤル ２２９：撮影モード選択ボタン ２３３：ＡＦモード選択ボタン 
２３５：測光モード選択ボタン １２：外部液晶表示装置  １３：表示パネル照明ボタン  
１４：露出補正ボタン １５：アイピースシャッターレバー １６：視度補正ダイヤル
１７：サブ電子ダイヤル  １８：ダイヤルロックスイッチ １９：メインスイッチ
２０：ＬＣＤモニタ装置  ２１：カードスロット選択ボタン  ２２：メニューボタン  
２３：選択ボタン ２４：ディスプレイボタン  ２５：消去ボタン  ２６：記録画質選択ボタン 
２７：ホワイトバランス選択ボタン  ２８：カードスロットカバー開閉つまみ 
２９：カードスロットカバー  ３０：アクセスランプ  ２１８：記録媒体 
３３：カード取り外しボタン ３５：電源電池  １００：撮影レンズユニット  
１０１：撮影レンズ  １０２：絞り１０３：レンズ駆動機構  １０４：レンズ制御回路  
１０５：絞り駆動機構  １０６：絞り制御回路  １０７：電気的接点群  ２０１：ペンタプリズム
２０２：クイックリターンミラー  ２０３：サブミラー  ２０４：ＡＦセンサ  
２０６：接眼レンズ  ２０７：測光回路  ２０８：フォーカルプレーンシャッタ  
２０９：フィルタ  ２１０：撮像素子  ２１１：シャッタチャージ・ミラー駆動機構  
２１２：シャッタ制御回路  ２１３：画像表示回路  ２１４：エンコーダ回路  
２１５：Ｄ／Ａコンバータ  ２１６：Ａ／Ｄコンバータ  
２１７：タイミングパルス発生回路  ２１９：画像圧縮回路  ２２０：画像データコントローラ  ２２１：ＤＲＡＭ    ２２２：ＥＥＰＲＯＭ  ２２３：システムコントローラ
【図１】
2005181356.tif 000003
【図２】
2005181356.tif 000004
【図３】
2005181356.tif 000005
【図４】
2005181356.tif 000006
【図５】
2005181356.tif 000007
【図６】
2005181356.tif 000008
【図７】
2005181356.tif 000009
【図８】
2005181356.tif 000010
【図９】
2005181356.tif 000011
【図１０】
2005181356.tif 000012
【図１１】
2005181356.tif 000013
【図１２】
2005181356.tif 000014